(57)【要約】【課題】端末の持ち出しによりデータが外部へ漏洩するのを阻止する。【解決手段】１ファイルを文書情報と本文とのファイルに分離してこれらを１件として管理し、文書情報のファイルに含まれる機密情報に読解不可能な処理を施して前記処理済みの文書情報のファイルを出力するとともに、復元情報に基づいて前記処理済みの文書情報のファイルを読解可能なファイルに復元するデータ管理手段と、前記解読不可能な処理前の１件のファイルをメインデータとして外部ストレージに振り分けるとともに、前記文書情報のファイル或いは、前記処理済みの文書ファイルをローカルデータとして端末に振り分けるファイル仕分け手段とを有する。【選択図】図１
2011034209.tif 000002
【特許請求の範囲】
【請求項１】
端末に代わってデータを記憶する外部ストレージを有し、前記端末の持ち出しにより前記外部ストレージ内のデータが外部に漏洩するのを阻止するデータセキュリティシステムであって、
１ファイルを少なくとも文書情報と本文とのファイルに分離してこれらのファイルを１件のファイルとして管理し、少なくとも前記文書情報のファイルに含まれる機密情報に対して読解不可能な処理を施して前記処理済みの文書情報のファイルを出力するとともに、前記端末のユーザが入力する復元情報に基づいて前記処理済みの文書情報のファイルを読解可能なファイルに復元するデータ管理手段と、
データファイルを保存する際、前記データ管理手段で管理される解読不可能な処理を施す前の前記１件のファイルをメインデータとして前記外部ストレージに振り分けるとともに、前記データ管理手段から出力される前記文書情報のファイル或いは、前記処理済みの文書ファイルをローカルデータとして前記端末に振り分け保存させ、データファイルを読み出す際、前記外部ストレージへのアクセスが可能な場合に前記外部ストレージから優先的にファイルを読み出し、前記外部ストレージへのアクセスが不可能な場合に前記端末からファイルを読み出すためにアクセス先を振り分けるファイル仕分け手段とを有することを特徴とするデータセキュリティシステム。
【請求項２】
前記データ管理手段は、前記端末に記憶された前記文書情報に基づいて前記端末のユーザが作成したデータファイルに読解不可能な処理を施して前記データファイルを出力するものであり、
前記ファイル仕分け手段は、前記データ管理手段で管理される読解不可能な処理を施す前の前記データファイルをメインデータとして前記外部ストレージに振り分けると共に、前記読解不可能な処理を施した前記データファイルをローカルデータとして前記端末に振り分けるものである請求項１に記載のデータセキュリティシステム。
【請求項３】
前記データ管理手段は、前記文書情報に前記本文の一部を取り込んでこれを前記文書情報のファイルとして管理し、前記文書情報の機密情報及び前記取り込んだ本文に対して読解不可能な処理を施して、前記処理済みの文書情報のファイルを出力するものであり、
前記ファイル仕分け手段は、前記データ管理手段で管理される読解不可能な処理を施す前の前記文書情報のファイルをメインデータとして前記外部ストレージに振り分けると共に、前記読解不可能な処理を施した前記文書情報のファイルをローカルデータとして前記端末に振り分けるものである請求項２に記載のデータセキュリティシステム。
【請求項４】
前記データ管理手段は、前記文書情報のファイルに含まれる機密情報及び前記本文のファイルに対して読解不可能な処理を施して、前記処理済みの文書情報のファイル及び前記本文のファイルを出力するものであり、
前記ファイル仕分け手段は、前記データ管理手段で管理される読解不可能な処理を施す前の前記文書情報のファイル及び前記本文のファイルをメインデータとして前記外部ストレージに振り分けると共に、前記文前記処理済みの文書情報のファイル及び前記本文のファイルをローカルデータとして前記端末に振り分けるものである請求項１に記載のデータセキュリティシステム。
【請求項５】
前記データ管理手段は、前記１ファイルに添付ファイルが添付されている場合、文書情報のファイルと本文のファイルと前記添付ファイルとに分離して、これらのファイルを１件のファイルとして管理し、前記文書情報のファイルに含まれる機密情報に対して読解不可能な処理を施して、前記処理済みの文書情報のファイルを出力するものである請求項１に記載のデータセキュリティシステム。
【請求項６】
前記データ管理手段は、前記本文ファイル及び前記添付ファイルの少なくとも一方のファイルに含まれる一部の情報を前記文書情報に取り込んでこれを前記文書情報のファイルとして管理し、前記文書情報の機密情報及び前記取り込んだ一部の情報に対して読解不可能な処理を施して、前記処理済みの文書情報を出力するものである請求項５に記載のデータセキュリティシステム。
【請求項７】
前記データ管理手段は、前記１ファイルに添付ファイルが添付されている場合、前記文書情報のファイルに含まれる機密情報及び前記本文のファイル並びに前記添付ファイルに対して読解不可能な処理を施して、前記処理済みの文書情報のファイル及び前記本文のファイル並びに前記添付ファイルを出力するものであり、
前記ファイル仕分け手段は、前記データ管理手段で管理される読解不可能な処理を施す前の前記文書情報のファイル及び前記本文のファイル及び前記添付ファイルをメインデータとして前記外部ストレージに振り分けるとともに、前記処理済みの前記文書情報のファイル及び前記本文のファイル及び前記添付ファイルをローカルデータとして前記端末に振り分けるものである請求項１に記載のデータセキュリティシステム。
【請求項８】
前記ファイル仕分け手段は、前記外部ストレージへの前記メインデータの保存とは非同期に、前記端末への前記ローカルデータの保存終了の際に保存終了のコマンドを前記データ管理手段に出力するものである請求項１に記載のデータセキュリティシステム。
【請求項９】
前記ファイル仕分け手段は、前記データ管理手段からのデータ閲覧要求のコマンドに対して、前記端末に記憶された前記データを閲覧用データとして出力するものである請求項１に記載のデータセキュリティシステム。
【請求項１０】
前記データ管理手段以外の他のデータ管理手段を機密保持の対象であるデータ管理手段と判別し、その機密保持扱いのデータ管理手段によるデータを前記端末に出力するのを阻止するフィルタドライバを有する請求項１に記載のデータセキュリティシステム。
【請求項１１】
端末単体の持ち出しにより外部ストレージ内のデータが外部に漏洩するのを阻止するデータセキュリティシステムに用いられる端末であって、
１ファイルを少なくとも文書情報と本文とのファイルに分離してこれらのファイルを１件のファイルとして管理し、前記文書情報のファイルに含まれる機密情報に対して読解不可能な処理を施して前記処理済みの文書情報のファイルを出力するとともに、前記端末のユーザが入力する復元情報に基づいて前記処理済みの文書情報のファイルを読解可能なファイルに復元するデータ管理手段と、
データファイルを保存する際、前記データ管理手段で管理される解読不可能な処理を施す前の前記１件のファイルをメインデータとして前記外部ストレージに振り分けるとともに、前記データ管理手段から出力される前記文書情報のファイル或いは、前記処理済みの文書ファイルをローカルデータとして前記端末のストレージに振り分け保存させ、データファイルを読み出す際、前記外部ストレージへのアクセスが可能な場合に前記外部ストレージから優先的にファイルを読み出し、前記外部ストレージへのアクセスが不可能な場合に前記端末のストレージからファイルを読み出すためにアクセス先を振り分けるファイル仕分け手段とを有することを特徴とする端末。
【請求項１２】
端末単体の持ち出しにより外部ストレージ内のデータが外部に漏洩するのを阻止するデータセキュリティシステムに組み込まれるデータ管理ユニットであって、
１ファイルを少なくとも文書情報と本文とのファイルに分離してこれらのファイルを１件のファイルとして管理し、前記文書情報のファイルに含まれる機密情報に対して読解不可能な処理を施して前記処理済みの文書情報のファイルを出力するとともに、前記端末のユーザが入力する復元情報に基づいて前記処理済みの文書情報のファイルを読解可能なファイルに復元するデータ管理手段と、
データファイルを保存する際、前記データ管理手段で管理される解読不可能な処理を施す前の前記１件のファイルをメインデータとして前記外部ストレージに振り分けるとともに、前記データ管理手段から出力される前記文書情報のファイル或いは、前記処理済みの文書ファイルをローカルデータとして前記端末のストレージに振り分け保存させ、データファイルを読み出す際、前記外部ストレージへのアクセスが可能な場合に前記外部ストレージから優先的にファイルを読み出し、前記外部ストレージへのアクセスが不可能な場合に前記端末のストレージからファイルを読み出すためにアクセス先を振り分けるファイル仕分け手段とを有することを特徴とするデータ管理ユニット。
【請求項１３】
端末で作成されたデータを前記端末に代わって記憶する外部ストレージを有し、前記端末の持ち出しにより前記外部ストレージ内のデータが外部に漏洩するのを阻止するデータセキュリティ方法であって、
１ファイルを少なくとも文書情報と本文とのファイルに分離してこれらのファイルを１件のファイルとして管理し、前記文書情報のファイルに含まれる機密情報に対して読解不可能な処理を施して前記処理済みの文書情報のファイルを出力するとともに、前記端末のユーザが入力する復元情報に基づいて前記処理済みの文書情報のファイルを読解可能なファイルに復元する処理と、
データファイルを保存する際、前記データ管理手段で管理される解読不可能な処理を施す前の前記１件のファイルをメインデータとして前記外部ストレージに振り分けるとともに、前記データ管理手段から出力される前記文書情報のファイル或いは、前記処理済みの文書ファイルをローカルデータとして前記端末のストレージに振り分け保存させ、データファイルを読み出す際、前記外部ストレージへのアクセスが可能な場合に前記外部ストレージから優先的にファイルを読み出し、前記外部ストレージへのアクセスが不可能な場合に前記端末のストレージからファイルを読み出すためにアクセス先を振り分ける処理とを実行することを特徴とするデータセキュリティ方法。
【請求項１４】
端末で作成されたデータを前記端末に代わって記憶する外部ストレージを有し、前記端末の持ち出しにより前記外部ストレージ内のデータが外部に漏洩するのを制御するデータセキュリティプログラムであって、
１ファイルを少なくとも文書情報と本文とのファイルに分離してこれらのファイルを１件のファイルとして管理し、前記文書情報のファイルに含まれる機密情報に対して読解不可能な処理を施して前記処理済みの文書情報のファイルを出力するとともに、前記端末のユーザが入力する復元情報に基づいて前記処理済みの文書情報のファイルを読解可能なファイルに復元する機能と、
データファイルを保存する際、前記データ管理手段で管理される解読不可能な処理を施す前の前記１件のファイルをメインデータとして前記外部ストレージに振り分けるとともに、前記データ管理手段から出力される前記文書情報のファイル或いは、前記処理済みの文書ファイルをローカルデータとして前記端末のストレージに振り分け保存させ、データファイルを読み出す際、前記外部ストレージへのアクセスが可能な場合に前記外部ストレージから優先的にファイルを読み出し、前記外部ストレージへのアクセスが不可能な場合に前記端末のストレージからファイルを読み出すためにアクセス先を振り分ける機能とを実行させることを特徴とするデータセキュリティプログラム。
【発明の詳細な説明】
【技術分野】
【０００１】
本発明は、端末の持ち出しによりデータが外部に漏洩するのを阻止するデータセキュリティシステム及び方法、データセキュリティシステムの端末、データセキュリティシステム用データ管理ユニット及びプログラムに関する。
【背景技術】
【０００２】
コンピュータでは、ユーザが作成したデータ、及びコンピュータ全体を管理する基本ソフトウェア（以下、ＯＳという；Operating  System）或いはアプリケーションソフト（以下、ＡＰという）で作成されたデータを外部ストレージに記憶させて保存する必要がある。
【０００３】
ＯＳ／ＡＰの管理する重要なデータ（例えば、識別番号ＩＤやパスワード等）や、お客様に対する重要なデータは、内部ストレージの１つであるハードディスクドライブに記憶されて保存されている。
【０００４】
最近、コンピュータを用いたプレゼンテーションが行われており、前記ハードディスクドライブに記憶されたデータは、モバイルタイプのパーソナルコンピュータと共に外部に持ち出される機会が増えている。これに伴い、顧客情報や機密情報などの重要な情報が漏洩してしまうという問題があった。
【０００５】
そこで、特許文献１では、要求のファイル名があれば、リダイレクタが外部ファイルサーバに転送する技術を開示している。
【０００６】
また、特許文献２では、ユーザの意図、アプリケーションの設定などに左右されることなく、顧客情報や機密情報などの重要な情報の漏洩を確実に防止することできるデータリダイレクト装置が開示されている。
【先行技術文献】
【特許文献】
【０００７】
【特許文献１】特開２００６−７２９８１号公報
【特許文献２】特開２００８−１５８８０３号公報
【発明の概要】
【発明が解決しようとする課題】
【０００８】
しかしながら、特許文献１では、ユーザ或いはアプリケーションが重要なデータを外部ファイルサーバに転送する指示を表明しない限り、ハードディスクドライブに記憶されたデータは、外部ファイルサーバに転送されない。
【０００９】
このことは、ユーザがデータの転送を失念した場合、或いはユーザがアプリケーションにデータの転送を設定し忘れた場合、データの転送が外部ファイルサーバに行われないことを意味する。
【００１０】
以上のように特許文献１では、データの外部ファイルサーバへの転送がユーザの行動に左右されるため、顧客情報や機密情報などの重要な情報の漏洩を確実に防止することは不可能であるという問題があった。
【００１１】
また、特許文献２では、ユーザの意図、データ管理手段の設定などに左右されることなく、顧客情報や機密情報などの重要な情報の漏洩を確実に防止することできるが、この特許文献２では、新たな問題が生じる。
【００１２】
すなわち、各企業は、機密情報や個人情報の漏洩防止を目的として、会社所有のパソコンを社外へ持ち出すことを禁止している。万が一持ち出す場合でも、持ち出す文書の承認が必要であり、シンクライアント端末などのようにユーザ情報を端末に保存しない端末での運用に限っている。
【００１３】
持ち出す文書に対する承認を実行することは非現実的のため、結果的にパソコン等の端末を持ち出せていないのが実情である。一方、シンクライアントタイプの端末であると、オフライン状態での資料閲覧や資料作成の作業を行うことはできない。特に、出張時の移動などでメールの閲覧や閲覧したメールに対する新たなメールを作成する作業ができないことは、顧客からの問い合わせにタイムリーに応答できないなどの課題がある。
【００１４】
本発明の目的は、端末の持ち出しにより前記端末で作成したデータが外部へ漏洩するのを阻止し、且つオフライン状態でもファイルの閲覧等が可能なデータセキュリティシステム及び方法、前記データセキュリティシステムに用いる端末、データセキュリティシステム用データ管理ユニット及びプログラムを提供することにある。
【課題を解決するための手段】
【００１５】
前記目的を達成するため、本発明に係るデータセキュリティシステムは、端末に代わってデータを記憶する外部ストレージを有し、前記端末の持ち出しにより前記外部ストレージ内のデータが外部に漏洩するのを阻止するデータセキュリティシステムであって、
１ファイルを少なくとも文書情報と本文とのファイルに分離してこれらのファイルを１件のファイルとして管理し、少なくとも前記文書情報のファイルに含まれる機密情報に対して読解不可能な処理を施して前記処理済みの文書情報のファイルを出力するとともに、前記端末のユーザが入力する復元情報に基づいて前記処理済みの文書情報のファイルを読解可能なファイルに復元するデータ管理手段と、
データファイルを保存する際、前記データ管理手段で管理される解読不可能な処理を施す前の前記１件のファイルをメインデータとして前記外部ストレージに振り分けるとともに、前記データ管理手段から出力される前記文書情報のファイル或いは、前記処理済みの文書ファイルをローカルデータとして前記端末に振り分け保存させ、データファイルを読み出す際、前記外部ストレージへのアクセスが可能な場合に前記外部ストレージから優先的にファイルを読み出し、前記外部ストレージへのアクセスが不可能な場合に前記端末からファイルを読み出すためにアクセス先を振り分けるファイル仕分け手段とを有することを特徴とする。
【００１６】
本発明をデータセキュリティシステムとして構築したが、これに限られるものではなく、本発明をデータセキュリティ方法或いはデータセキュリティシステムに用いる端末、さらには、ソフトウェアとしてのセキュリティシステム用プログラム、セキュリティシステム用データ管理ユニットとして構築してもよいものである。
【００１７】
本発明をデータセキュリティシステムに用いる端末として構築した場合、本発明に係るデータセキュリティシステムに用いる端末は、端末単体の持ち出しにより外部ストレージ内のデータが外部に漏洩するのを阻止するデータセキュリティシステムに用いられる端末であって、
１ファイルを少なくとも文書情報と本文とのファイルに分離してこれらのファイルを１件のファイルとして管理し、前記文書情報のファイルに含まれる機密情報に対して読解不可能な処理を施して前記処理済みの文書情報のファイルを出力するとともに、前記端末のユーザが入力する復元情報に基づいて前記処理済みの文書情報のファイルを読解可能なファイルに復元するデータ管理手段と、
データファイルを保存する際、前記データ管理手段で管理される解読不可能な処理を施す前の前記１件のファイルをメインデータとして前記外部ストレージに振り分けるとともに、前記データ管理手段から出力される前記文書情報のファイル或いは、前記処理済みの文書ファイルをローカルデータとして前記端末のストレージに振り分け保存させ、データファイルを読み出す際、前記外部ストレージへのアクセスが可能な場合に前記外部ストレージから優先的にファイルを読み出し、前記外部ストレージへのアクセスが不可能な場合に前記端末のストレージからファイルを読み出すためにアクセス先を振り分けるファイル仕分け手段とを有する構成として構築する。
【００１８】
本発明をセキュリティシステム用データ管理ユニットとして構築した場合、本発明に係るセキュリティシステム用データ管理ユニットは、端末単体の持ち出しにより外部ストレージ内のデータが外部に漏洩するのを阻止するデータセキュリティシステムの端末に組み込まれるデータ管理ユニットであって、
１ファイルを少なくとも文書情報と本文とのファイルに分離してこれらのファイルを１件のファイルとして管理し、前記文書情報のファイルに含まれる機密情報に対して読解不可能な処理を施して前記処理済みの文書情報のファイルを出力するとともに、前記端末のユーザが入力する復元情報に基づいて前記処理済みの文書情報のファイルを読解可能なファイルに復元するデータ管理手段と、
データファイルを保存する際、前記データ管理手段で管理される解読不可能な処理を施す前の前記１件のファイルをメインデータとして前記外部ストレージに振り分けるとともに、前記データ管理手段から出力される前記文書情報のファイル或いは、前記処理済みの文書ファイルをローカルデータとして前記端末のストレージに振り分け保存させ、データファイルを読み出す際、前記外部ストレージへのアクセスが可能な場合に前記外部ストレージから優先的にファイルを読み出し、前記外部ストレージへのアクセスが不可能な場合に前記端末のストレージからファイルを読み出すためにアクセス先を振り分けるファイル仕分け手段とを有する構成として構築する。
【００１９】
本発明をデータセキュリティ方法として構築した場合、本発明に係るデータセキュリティ方法は、端末で作成されたデータを前記端末に代わって記憶する外部ストレージを有し、前記端末の持ち出しにより前記外部ストレージ内のデータが外部に漏洩するのを阻止するデータセキュリティ方法であって、
１ファイルを少なくとも文書情報と本文とのファイルに分離してこれらのファイルを１件のファイルとして管理し、前記文書情報のファイルに含まれる機密情報に対して読解不可能な処理を施して前記処理済みの文書情報のファイルを出力するとともに、前記端末のユーザが入力する復元情報に基づいて前記処理済みの文書情報のファイルを読解可能なファイルに復元する処理と、
データファイルを保存する際、前記データ管理手段で管理される解読不可能な処理を施す前の前記１件のファイルをメインデータとして前記外部ストレージに振り分けるとともに、前記データ管理手段から出力される前記文書情報のファイル或いは、前記処理済みの文書ファイルをローカルデータとして前記端末のストレージに振り分け保存させ、データファイルを読み出す際、前記外部ストレージへのアクセスが可能な場合に前記外部ストレージから優先的にファイルを読み出し、前記外部ストレージへのアクセスが不可能な場合に前記端末のストレージからファイルを読み出すためにアクセス先を振り分ける処理とを実行する構成として構築する。
【００２０】
本発明をデータセキュリティプログラムとして構築した場合、本発明に係るデータセキュリティプログラムは、端末で作成されたデータを前記端末に代わって記憶する外部ストレージを有し、前記端末の持ち出しにより前記外部ストレージ内のデータが外部に漏洩するのを制御するデータセキュリティプログラムであって、
１ファイルを少なくとも文書情報と本文とのファイルに分離してこれらのファイルを１件のファイルとして管理し、前記文書情報のファイルに含まれる機密情報に対して読解不可能な処理を施して前記処理済みの文書情報のファイルを出力するとともに、前記端末のユーザが入力する復元情報に基づいて前記処理済みの文書情報のファイルを読解可能なファイルに復元する機能と、
データファイルを保存する際、前記データ管理手段で管理される解読不可能な処理を施す前の前記１件のファイルをメインデータとして前記外部ストレージに振り分けるとともに、前記データ管理手段から出力される前記文書情報のファイル或いは、前記処理済みの文書ファイルをローカルデータとして前記端末のストレージに振り分け保存させ、データファイルを読み出す際、前記外部ストレージへのアクセスが可能な場合に前記外部ストレージから優先的にファイルを読み出し、前記外部ストレージへのアクセスが不可能な場合に前記端末のストレージからファイルを読み出すためにアクセス先を振り分ける機能とを実行させる構成として構築する。
【発明の効果】
【００２１】
本発明によれば、端末単体の持ち出しによるデータの外部漏洩のリスクを抑えながら、オフライン状態でもファイルの閲覧等を実行できる。
【図面の簡単な説明】
【００２２】
【図１】本発明の実施形態に係るデータセキュリティシステムを示す構成図である。
【図２】本発明の実施形態に用いるメーラーの機能を図示化して説明する構成図である。
【図３】本発明の実施形態に用いるメーラーの機能を図示化して説明する構成図である。
【図４】本発明の実施形態に用いるメーラーの機能を図示化して説明する構成図である。
【図５】本発明の実施形態に用いるメーラーの機能を図示化して説明する構成図である。
【図６】本発明の実施形態に用いるメーラーの機能を図示化して説明する構成図である。
【図７】本発明の実施形態に用いるメーラーの機能を図示化して説明する構成図である。
【図８】本発明の実施形態に用いるメーラーの機能を図示化して説明する構成図である。
【図９】図１に示す本発明の実施形態に係るデータセキュリティシステムをメーラーによるデータ管理に適用した場合において、ディスクトップメーラーによるメール送受信を示すシーケンス図である。
【図１０】汎用のディスクトップメーラーによる通信状態を示すシーケンス図である。
【発明を実施するための形態】
【００２３】
以下、本発明の実施形態を図に基づいて詳細に説明する。
【００２４】
バイナリファイルを取り扱うデータ管理手段ソフトの一例として、パソコンで通信を行うために用いるメーラーが開発されている。このメーラーには、ＩＭＡＰ４のプロトコルを用いて、電子メールを管理しているサーバから受信する、いわゆるＷｅｂメーラーと、ＰＯＰ３のプロトコルを用いて、電子メールを管理しているサーバから受信する、いわゆるディスクトップメーラーとがある。
【００２５】
前記Ｗｅｂメーラーは、読み書きする電子メールがサーバに保存されるものであり、前記電子メールがクライアント側のパソコンに保存されることがなく、電子メールの機密管理に便利である。
【００２６】
これに対して、前記ディスクトップメーラーは、読み書きする電子メールをサーバからダウンロードして、そのディスクトップメーラーが組み込まれたパソコンに前記ダウンロードした電子メールを保存できるものである。したがって、前記パソコンが携帯可能なノート型パソコンである場合、前記ノート型パソコンを持ち出した際に外部に電子メールのデータが漏洩する可能性がある。前述したデータの外部漏洩を阻止するために、前記特許公報に開示されているように、ノート型パソコンにダウンロードすべき電子メールのデータを仮想ディスク等のストレージ装置に保存して管理し、ノート型パソコンに電子メールのデータを一切保存させない技術が開発されている。
【００２７】
上述した様に、前記ディスクトップメーラーと前記Ｗｅｂメーラーとは、それぞれバイナリファイルを取り扱う専用のアプリケーションであるから、前記メーラー相互間では互いのバイナリファイルを読み書きすることが不可能である。そのため、前記ディスクトップメーラーと前記Ｗｅｂメーラーとを１台のノート型パソコンに備える必要があり、バイナリファイルに応じてそれらのメーラーを切り替えて用いる必要がある。
【００２８】
しかし、前記メーラーを用いたデータ管理では、顧客情報や機密情報などの重要な情報の漏洩を確実に防止することできるが、新たな問題が生じる。すなわち、各企業は、機密情報や個人情報の漏洩防止を目的として、会社所有のパソコンを社外へ持ち出すことを禁止しており、しかも、セキュリティ上、持ち出す文書をノート型パソコンの内蔵ハードディスクにコピーすることができないため、パソコン等の端末に文書を記録して持ち出せないのが実情である。
【００２９】
そこで、本発明の実施形態は、セキュリティシステムに最適なデータ管理手段３として機能する例えばメーラーを新たに開発したものである。以下の説明では、データ管理手段３をメーラー３として表記する。本発明の実施形態におけるメーラー３は、上述したディスクトップメーラーとＷｅｂメーラーとの機能を併せて有している。以下の説明では、前記ディスクトップメーラー及び前記Ｗｅｂメーラーを総称して単にメーラーと表記すると共に、電子メールを単にメールと表記して説明する。なお、本発明の実施形態におけるセキュリティシステムに最適なデータ管理手段は、前記メーラーに限られるものではない。また、本発明の実施形態で扱うファイルは電子データのファイルである。
【００３０】
図1に示す様に、サーバとして電子メールの受信用ＰＯＰ３サーバ４と電子メールの送信用ＳＭＴＰサーバ５とを用いて、メーラー３による電子メールの送受信が行われる。図１において、前記ＰＯＰ３サーバ４は、メーラー３から伝送されるメールの受信要求に応じて、電子メールを保存している図示しないメールサーバからＰＯＰ３のプロトコルを用いて受信する。この場合、受信されるメールは、前述したディスクトップメーラーの取り扱うメールである。なお、図１に示す例では、電子メールを保存している図示しないメールサーバからＩＭＡＰのプロトコルを用いて受信する機能を前記ＰＯＰ３サーバ４に備えている。この場合、受信されるメールは、前述したＷｅｂメーラーの取り扱うメールである。前記ＳＭＴＰサーバ５は、ＳＭＴＰプロトコルを用いて電子メールの送信を行う。この場合、送信されるメールは、メーラー３から伝送されるメールの送信要求に応じて、前述したディスクトップメーラーの取り扱う送信用メール、或いは前述したＷｅｂメーラーの取り扱う送信用メールである。
【００３１】
次に、本発明の実施形態におけるメーラー３が備えている機能を、汎用のディスクトップメーラーが備えている機能と比較することにより説明する。先ず、汎用のディスクトップメーラーが備えている機能を図６に基づいて説明する。なお、図１０では、汎用のディスクトップメーラーに符号３０を付して、図１に示す本発明の実施形態におけるメーラー３と区別している。
【００３２】
図１０に基づいて、汎用のディスクトップメーラー３０が、メールデータを受信する場合について説明する。端末１がＬＡＮ１１を介してデータサーバ６に接続している状態（オンライン状態）において、ユーザが端末１のキーボード類を操作することにより、ディスクトップメーラー３０にメール受信要求Ｒ１０をコマンド入力すると、汎用のディスクトップメーラー３０は、ＰＯＰ３サーバ４にアクセスして、メールデータ受信要求Ｒ１１をＰＯＰ３サーバ４に出力する。
【００３３】
図１０に示す様に、汎用のディスクトップメーラー３０は、メールデータ受信要求Ｒ１１を出力した後、ネットワーク１３を通してメールが送信されていない場合に前記ＰＯＰ３サーバ４から、メールデータが皆無であることを知らされる。汎用のディスクトップメーラー３０は、ネットワーク１３を通してメールが送信されている場合（メールデータ送信Ｔｂ）、前記ＰＯＰ３サーバ４からメールデータを受け取り（メールデータ出力Ｒ１２）、そのメールデータをデータサーバ２に保存させる（メールデータ保存Ｓ１０）。そして、汎用のディスクトップメーラー３０は、データサーバ２からメールデータ保存終了Ｓ１１のコマンドを受け取った際に、端末１の表示部（図示略）にメールデータ受信の通知Ｓ１２を示す表示を行う。
【００３４】
次に、汎用のディスクトップメーラー３０を用いてユーザがメールデータを閲覧する場合について説明する。図１０に示す様に、ユーザが端末１をＬＡＮ１１によりデータサーバ６に連繋させたオンライン状態において、ユーザがキーボード類を使ってメールデータを閲覧するメールデータ閲覧要求Ｄ１０のコマンドを汎用のディスクトップメーラー３０に入力すると、汎用のディスクトップメーラー３０は、データサーバ２にメールデータ閲覧要求Ｄ１１を送信すると、汎用のディスクトップメーラー３０は、データサーバ２からのメールデータを受信する（メールデータ出力Ｄ１２）。汎用のディスクトップメーラー３０は、データサーバ２からメーラデータを受け取ると、そのデータを端末１の表示部（図示略）に表示する（メールデータ表示Ｄ１３）。
【００３５】
次に、汎用のディスクトップメーラー３０がメールデータを送信する場合について説明する。図１０に示す様に、ユーザがキーボード類を操作してメールデータを作成し、そのデータを汎用のディスクトップメーラー３０に入力すると、汎用のディスクトップメーラー３０はデータサーバ２にアクセスして、送信用メールデータをデータサーバ２に出力する。次に、汎用のディスクメーラー３０は、メールデータ送信要求Ｔ１１に基づいて、メールデータ取り出し要求Ｔ１２のコマンドをデータサーバ２に出力し、データサーバ２ら送信用のメールデータを受信する（メールデータ出力Ｔ１３）。汎用のディスクトップメーラー３０は、データサーバ２から送信用メールデータを受け取ると、そのデータにメールデータ送信要求Ｔ１４を付加し、これらのデータをＳＭＴＰサーバ５に送信する。ＳＭＴＰサーバ９ａは、汎用のディスクトップメーラー３０からの送信用メールデータを受け取ると、その送信用メールデータをネットワーク１３を介して送信する（メールデータ送信Ｔ１５）。送信後、汎用のディスクトップメーラー３０は、ＳＭＴＰサーバ５からメールデータ送信終了Ｔ１６のコマンドをメールデータ送信終了Ｔ１５のコマンドを受け取ると、端末１の表示部（図示略）にメールデータ送信結果を表示する（メールデータ送信結果表示Ｔ１７）。
【００３６】
図１０に示す動作から明らかなように、汎用のディスクトップメーラー３０は、それ自体がセキュリティ管理に寄与するように構成されたものではなく、しかも、端末単体でファイルを持ち出すことに対処する構成ではないため、メール情報を端末に記憶させるのを全面的に禁止させるリダイレクタシステムを採用しているのが実情である。
【００３７】
そこで、本発明の実施形態では、メーラー３に、端末単体でファイルを持ち出すことに対処する構成を付与し、端末単体でファイルを持ち出す際の機密漏洩を防止している。
【００３８】
次に、本発明の実施形態に用いるメーラー３の具体的な構成について説明する。前記メーラー（データ管理手段）３は図１に示す様に、端末１のマイクロプロセッサ（ＭＰＵ）にプログラムを実行させることにより、ソフトウェア上で実現させている。
【００３９】
前記メーラー３は図１に示す様に、ＳＭＴＰサーバ５との間でＳＭＴＰプロトコルを使用して送信機能を実行し、かつ、ＰＯＰ３サーバ４との間でＰＯＰ３を使用してメールを受信するとともに、一部に組み込んだＷｅｂブラウザを用いてＩＭＡＰ４プロトコルによってメールを受信する機能を実行するものである。したがって、前記メーラー３は、ディスクトップメーラーとして取り扱う専用のバイナリファイルであるメールのデータを読み書きすることが可能であるばかりでなく、前記専用のバイナリファイル以外のＷｅｂメーラーを読み書きするバイナリファイルであるメール１２ｂのデータも読み書きすることが可能である。以下では、本発明の実施形態において、データ管理手段３として機能するメーラーに特有の機能を説明する。
【００４０】
前記メーラー３が取り扱う１ファイルＦは図２に示す様に、ヘッダに存在する文書情報ＦＨと、本文ＦＳと、必要に応じて添付される添付ファイルＦＡとを有している。
【００４１】
前記メーラー３は、図２に示す１ファイルＦを図３（Ａ）に示す文書情報ＦＨのファイルＦ１と、図３（Ｂ）に示す本文ＦＳのファイルＦ２とに分離して、これらのファイルＦ１，Ｆ２を１件のファイルとして管理する管理部３ａを有している。図２に示す様に、１ファイルＦに添付ファイルＦＡが添付されている場合、本発明の実施形態におけるメーラー３の管理部３ａは、添付ファイルＦＡが添付された図２に示す１ファイルＦを、図３（Ａ）及び（Ｂ）に示す前記文書情報ＦＨのファイルＦ１及び本文ＦＳのファイルＦ２に加えて、図３（Ｃ）に示す様に添付ファイルＦＡをファイルＦから添付ファイルＦ３として分離して、これらのファイルＦ１，Ｆ２，Ｆ３を１件のファイルとして管理する機能を有している。
【００４２】
前記メーラー３の分離部３ａが分離した文書情報ＦＨのファイルＦ１には、送信元から送信先に至る経路の情報、送信先のメールアドレスＭ１、サブジェクトＭ２、送信元のメールアドレスＭ３、送信日付Ｍ４、メーラーの種類Ｍ５などが含まれている。これらファイルＦ１に含まれている情報に基づいて機密情報が漏洩されてしまう場合がある。図３（Ａ）では、機密漏洩の対象情報にはアンダーラインを付している。
【００４３】
そこで、前記メーラー３は図４（Ａ）に示す様に、図３（Ａ）に示す前記文書情報ＦＨのファイルＦ１に含まれる機密情報（Ｍ１〜Ｍ５及びアンダーラインを付した情報）に対して読解不可能な処理を施して前記処理済みの文書情報ＦＨのファイルＦ１を出力する出力部３ｂと、図５（Ａ）に示す様に、前記端末１のユーザが入力する復元情報に基づいて前記処理済みの文書情報のファイルを読解可能なファイルに復元する復元部３ｄとを有している。なお、前記出力部３ｂは、前記処理済みの文書情報ＦＨのファイルＦ１を出力する際、前記分離部３ａから受け取ったファイルＦ２をも出力する。また、前記端末１のユーザが入力する復元情報には、後述するようなパスワード又はキーワード（図６（Ａ）参照）や、暗号化を復元するための指令（図６（Ｂ）参照）などが含まれる。
【００４４】
図４（Ａ）に示す例では、前記メーラー３の出力部３ｂは、前記分離部３ａからのファイルＦ１，Ｆ２，Ｆ３を受け取り、図３（Ａ）に示す前記文書情報ＦＨのファイルＦ１に含まれる機密情報（Ｍ１〜Ｍ５及びアンダーラインを付した情報）を伏せ字「＊」にして読解不可能な処理を施して前記処理済みの文書情報ＦＨのファイルＦ１を出力する。図４（Ａ）では、伏せ字にして読解不可能な処理をした箇所を「＊」で示すと共に、アンダーラインを付して示している。
【００４５】
以上の説明では、前記メーラー３の出力部３ｂは図２に示すファイルＦのヘッダに含まれる文書情報ＦＨに対して図４（Ａ）に示す様な読解不可能な処理を施す場合を説明したが、これに限られるものではない。前記端末１のユーザは、図２に示すヘッダの文書情報ＦＨに基づいて文書を作成する場合がある。そこで、前記メーラー３は、端末１のユーザがキーボード類を操作して文書作成のコマンドを入力した場合、そのコマンドに基づいてメール文書を作成する作成部３ｃを有している。前記作成部３ｃが作成したメール文書は前記端末１の表示部に表示される。
【００４６】
前記作成部３ｃは、作成したメール文書を前記分離部３ａに入力する。前記分離部３ａは、前記作成部３ｃから入力するメール文書のファイルＦを文書情報（ヘッダ）ＦＨのファイルＦ１と本文ＦＳのファイルＦ２とに分離し、これらのファイルＦ１，Ｆ２を前記出力部３ｂに出力する。前記出力部３ｂは、前記分離部３ａからファイルＦ１，Ｆ２を受け取ると、前記文書情報ＦＨに基づいて前記端末１のユーザが作成したデータファイル、特に文書情報（ヘッダ）ＦＨのファイルＦ１に図４（Ａ）に示す読解不可能な処理を施して前記データファイルを出力する。なお、前記出力部３ｂは、前記処理済みの文書情報ＦＨのファイルＦ１とともに出力する本文ＦＳのファイルＦ２に読解不可能な処理を施して前記データファイルを出力してもよいものである。
【００４７】
また、前記メーラー３は、前記外部ストレージ２に記憶されたメールを閲覧する際、前記外部ストレージ２から読み出されたファイルＦ１（ファイルＦ１，Ｆ３を含む場合がある）を受け取る場合がある。これらのファイルＦ１，Ｆ２，Ｆ３は、前記外部ストレージ２に記憶させる際に前記出力部３ｂが読解不可能な処理を施している場合があるから、そのまま閲覧することは不可能である。そこで、前記メーラー３の復元部３ｄは、前記端末１のユーザが入力する復元情報に基づいて、図５（Ａ）に示す様に前記処理済みの文書情報のファイルを読解可能なファイルに復元している。前記復元部３ｄが復元したメールデータは、前記端末１の表示部に表示される。
【００４８】
以上の説明では、前記メーラー３の分離部３ａは、ヘッダの文書情報ＦＨのみを含むファイルＦ１として分離し、前記出力部３ｂは、図２に示すファイルＦのヘッダに含まれる文書情報ＦＨに対して、図４（Ａ）に示す読解不可能な処理を施して文書情報ＦＨのファイルＦ１を出力するようにしたが、これに限られるものではない。
【００４９】
すなわち、前記メーラー３の分離部３ａは、図２に示す前記文書情報ＦＨに前記本文ＦＳの一部Ｍ６を取り込んでこれを前記文書情報ＦＨのファイルＦ１として管理し、前記出力部３ｂは、前記文書情報ＦＨの機密情報及び前記取り込んだ本文ＦＳの一部Ｍ６に対して、図４（Ｂ）に示す様な読解不可能な処理を施して、前記処理済みの文書情報ＦＨのファイルＦ１を出力する構成としてもよいものである。なお、図４（Ｂ）の例では、前記メーラー３の出力部３ｂは、前記文書情報ＦＨに取り込んだ前記本文ＦＳの一部Ｍ６を含めて機密情報に伏せ字の処理を施している。図４（Ｂ）において、伏せ字の処理を施した箇所は「＊」で示すとともに、アンダーラインを付している。なお、前記メーラー３が読解不可能な処理を施す場合、前記伏せ字の処理に代えて、「ＮＥＣ株式会社」を「Ｎ社」に変換して読解不可能な処理を施す様にしてもよいものである。
【００５０】
なお、前記メーラー３の分離部３ａは、図２に示す前記文書情報ＦＨに、前記本文ＦＳの一部Ｍ６或いは前記添付ファイルＦＡの一部、或いはその双方を取り込んでこれを前記文書情報ＦＨのファイルＦ１として管理し、前記出力部３ｂは、前記文書情報ＦＨの機密情報及び前記取り込んだ本文ＦＳの一部Ｍ６（前記添付ファイルＦＡの一部も含めて）に対して、図４（Ｂ）に示す様な読解不可能な処理を施して、前記処理済みの文書情報ＦＨのファイルＦ１を出力する構成としてもよいものである。
【００５１】
以上の説明では、前記メーラー３の出力部３ｂは図４（Ａ）及び（Ｂ）に示す様に、機密情報の箇所に伏せ字処理を施して読解不可能な処理を施したが、前記メーラー３の出力部３ｂによる読解不可能な処理は、これに限られるものではない。
【００５２】
すなわち、前記メーラー３の出力部３ｂは、図６（Ａ）に示す様に文書情報ＦＨのファイルＦ１にパスワード或いはキーワードＰによるセキュリティ処理を施して、読解不可能な処理を施す、或いは図６（Ｂ）に示す様に文書情報ＦＨのファイルＦ１に暗号処理を施して、読解不可能な処理を施す構成としてもよいものである。この場合、前記メーラー３の復元部３ｄは、図５（Ａ）（Ｂ）に示す様に、前記端末１のユーザが入力する復元情報に基づいて前記処理済みの文書情報のファイルを読解可能なファイルに復元する。図６（Ａ）では、パスワード又はキーワードによるセキュリティ処理を施したファイルＦ１を白枠で示してあり、図６（Ｂ）では、暗号処理したファイルＦ１の情報を「＃」で示すとともに、アンダーラインで示している。
【００５３】
なお、前記メーラー３の出力部３ｂは、読解不可能な処理として、図４（Ａ）（Ｂ）に示す伏せ字処理、図６（Ａ）（Ｂ）に示すパスワード又はキーワードによる処理を用いているが、その処理方式は汎用の技術を用いており、しかも前記メーラー３の復元部３ｄが前記読解不可能な処理を施したファイルを前記端末１のユーザが入力する復元情報に基づいて復元する処理を実行しているが、その処理も汎用の技術を用いているため、それらの処理自体について詳細に説明することを省略する。また、図４及び図５に一例を示したが、前記メーラー３の出力部３ｂが実行する読解不可能な処理は図４及び図５に示した処理以外のものを用いてもよいものである。
【００５４】
また、以上の説明では、前記分離部３ａが図２に示すファイルＦのヘッダに含まれる文書情報ＦＨに、本文ＦＳのファイルＦ２の一部Ｍ６或いは添付ファイルＦ３の一部を取り込んで文書情報ＦＨのファイルＦ１として管理し、前記出力部３ｂが前記文書情報ＦＨのファイルＦ１に読解不可能な処理を施した例を説明したが、これに限られるものではない。
【００５５】
すなわち、端末単体でファイルを持ち出す際に、後述する端末１の記憶手段７に内蔵のハードディスク１０を用いるなどして、ファイルＦ１，Ｆ２，Ｆ３を読み書きするのに十分な記憶領域が確保される場合などには、前記メーラー３の出力部３ｂは、図７（Ａ）に示す様に前記文書情報ＦＨのファイルＦ１に含まれる機密情報、図７（Ｂ）に示す様に前記本文ＦＳのファイルＦ２に対してそれぞれ読解不可能な処理を施して、前記処理済みの文書情報のファイル及び前記本文のファイルを出力する構成としてもよい。
【００５６】
図２に示す様に、前記１ファイルＦに添付ファイルＦＡが添付されている場合、前記メーラー３の出力部３ｂは、図７（Ａ）に示す様に前記文書情報ＦＨのファイルＦ１に含まれる機密情報、図７（Ｂ）に示す様に前記本文ＦＳのファイルＦ２、図７（ｃ）に示す様に前記添付ファイルＦ３に対してそれぞれ読解不可能な処理を施して、前記処理済みの文書情報ＦＨのファイルＦ１及び前記本文ＦＳのファイルＦ２並びに前記添付ファイルＦ３を出力する構成としてもよいものである。
【００５７】
以上の説明では、例えばメーラー３として構築したデータ管理手段３をセキュリティシステムのファイル仕分け手段６と組み合わせて用いる１つの構成要素として構築した例を説明したが、これに限られるものではない。前記データ管理手段３は、セキュリティシステムにおけるデータ管理を行うデータ管理ユニットとして用いることができる単体として構築してもよいものであり、前記データ管理ユニット３は、端末１のマイクロプロセッサ（ＭＰＵ）にプログラムを実行させることにより、ソフトウェア上で実現させることとなる。
【００５８】
本発明の実施形態では、上述したメーラー（データ管理手段）３を使用することを前提として、前記外部ストレージとしてのデータサーバ２を有している。
【００５９】
本発明の実施形態における端末１は、ファイル仕分け手段６と、記憶手段７と、ＬＡＮドライバ８と、端末１に内蔵されたハードディスク１０と、ＨＤＤドライバ９とを有している。前記端末１のメーラー３は、ＬＡＮドライバ８及びＬＡＮ１１がオン状態（活線状態）の際に、外部ストレージである前記データサーバ２、ＰＯＰ３サーバ４、ＳＭＴＰサーバ５にそれぞれアクセス可能である。また、前記端末１のメーラー３は、ＨＤＤドライバ９を介してハードディスク１０にアクセス可能である。
【００６０】
前記ファイル仕分け手段６について具体的に説明する。前記ファイル仕分け手段６は図１に示す様に、データファイルを保存する際、前記メーラー３の分離部３ａで管理される読解不可能な処理を施す前の前記１件のファイルＦ１，Ｆ２又はＦ３をメインデータとして前記外部ストレージ２に振り分けるとともに、前記メーラー（データ管理手段）３から出力される前記文書ファイルＦＨ、或いは前記出力部３ｂで処理済みの文書情報ＦＨのファイルＦ１ををローカルデータとして前記端末１に振り分け保存させ、データファイルを読み出す際、前記外部ストレージ２へのアクセスが可能な場合に前記外部ストレージ２から優先的にファイルを読み出し、前記外部ストレージ２へのアクセスが不可能な場合に前記端末１からファイルを読み出すためにアクセス先を振り分ける機能を有している。
【００６１】
前記ファイル仕分け手段６が振り分ける、前記メーラー３の出力部３ｂから出力される前記文書情報ＦＨのファイルＦ１或いは、前記外部ストレージ２から読み出された前記文書情報ＦＨのファイルＦ１は、前記メーラー３の出力部３ｂによる読解不可能な処理が施されている。
【００６２】
また、前記メーラー３が、前記文書情報ＦＨに基づいて前記端末１のユーザが作成したデータファイルに読解不可能な処理を施して前記データファイルを出力する場合、前記ファイル仕分け手段６は、前記データファイルをメインデータとして前記外部ストレージ２に振り分けると共に、前記データファイルをローカルデータとして前記端末１に振り分ける機能を有している。
【００６３】
また、前記メーラー３の出力部３ｂが図７（Ａ）（Ｂ）（Ｃ）に示す様に、前記文書情報ＦＨのファイルＦ１に含まれる機密情報及び前記本文ＦＳのファイルＦ２，添付ファイルＦ３に対して読解不可能な処理を施して、前記処理済みの文書情報ＦＨのファイルＦ１及び前記本文ＦＳのファイルＦ２、添付ファイルＦ３を出力する場合、前記ファイル仕分け手段６は、前記メーラー３の出力部３ｂから出力される前記文書情報ＦＨのファイルＦ１及び前記本文ＦＳのファイルＦ２，添付ファイルＦ３をメインデータとして前記外部ストレージ２に振り分けると共に、前記メーラー３の出力部３ｂから出力される前記文書情報ＦＨのファイルＦ１及び前記本文ＦＳのファイルＦ２，添付ファイルＦ３をローカルデータとして前記端末１に振り分ける機能を有している。
【００６４】
また、前記ファイル仕分け手段６は、前記外部ストレージ２への前記メインデータの保存とは非同期に、前記記憶手段７への前記ローカルデータの保存終了の際に保存終了のコマンドを前記メーラー３に出力する機能を有している。また、前記ファイル仕分け手段６は、前記メーラー３からのデータ閲覧要求のコマンドに対して、前記記憶手段７に記憶された前記データを閲覧用データとして出力する機能を有している。また、前記ファイル仕分け手段６は、前記メーラー３と前記ＰＯＰ３サーバ４及び前記ＳＭＴＰサーバ５との間、前記メーラー３と前記データサーバ２との間でのメールデータの遣り取りを制御する機能を有している。
【００６５】
なお、図１の例では、前記ファイル仕分け手段６は、前記端末１のマイクロプロセッサ（コンピュータ）にプログラムを実行させて、ソフトウェア上で実現させている。
【００６６】
前記記憶手段７は、前記ファイル仕分け手段６の制御の下で、前記ファイル仕分け手段６で振り分けられたローカルデータとしての前記文書情報ＦＨのファイルＦ１を少なくとも記憶する機能を有している。前記記憶手段７は、既に記憶しているファイルＦ１に対して新規なファイルＦ１が入力した際、既に記憶しているファイルＦ１を新規なファイルＦ１に更新して、新規なファイルＦ１を記憶する。この場合、前記記憶手段７としては、例えばキャッシュメモリを用いることが望ましく、その記憶容量としては、少なくとも前記処理済みの文書情報ＦＨのファイルＦ１を記憶するのに十分な記憶容量をもつことが望ましい。
【００６７】
また、前記記憶手段７に記憶されている前記文書情報ＦＨに基づいて前記端末のユーザが作成したデータファイルに前記メーラー３が読解不可能な処理を施して前記データファイルを出力する場合、前記ファイル仕分け手段６が、前記データファイルをローカルデータとして前記端末１に振り分ける場合、前記記憶手段７は、既に記憶しているファイルＦ１を前記ローカルデータに更新して前記データファイルを記憶する。
【００６８】
また、前記メーラー３の出力部３ｂが、前記文書情報ＦＨのファイルＦ１に含まれる機密情報及び前記本文ＦＳのファイルＦ２，添付ファイルＦ３に対して読解不可能な処理を施して、前記処理済みの文書情報ＦＨのファイルＦ１及び前記本文ＦＳのファイルＦ２，添付ファイルＦ３を出力する場合、記憶容量が大きくなるため、前記記憶手段７として前記ハードディスク１０を用いる。そして、前記記憶手段７として機能する前記ハードディスク１０は、前記ファイル仕分け手段６の制御の下で、前記ファイル仕分け手段６から出力される前記文書情報ＦＨのファイルＦ１及び前記本文ＦＳのファイルＦ２並びに前記添付ファイルＦ３、或いは前記外部ストレージ２から読み出された前記文書情報ＦＨのファイルＦ１及び前記本文ＦＳのファイルＦ２並びに前記添付ファイルＦ３を記憶する。
【００６９】
前記記憶手段７に記憶されたファイルの情報をオフライン状態で閲覧する場合、ユーザは端末１に組み込まれたメーラー３を起動させて、そのメーラー３によって前記記憶手段７（或いは１０）にアクセスし、記憶手段７（或いは１０）に記憶されている読解不可能なファイルの復元を復元部３ｄで行い、前記復元部３ｄで復元したデータを前記端末１の表示部に表示することにより、データを閲覧することになる。また、前記メーラー３は、いわゆるディスクトップメーラー以外のＷｅｂメーラーによるメールデータを閲覧する場合、Ｗｅｂプラウザを起動させてＷｅｂメーラーのメールデータを閲覧する。
【００７０】
次に、本発明の実施形態に係るデータセキュリティシステムを用いて、データのセキュリティ管理を実行する場合を図９に基づいて説明する。以下の説明では、メールは図２に示すヘッダに文書情報ＦＨが含まれ、このヘッダが本文ＦＳに連繋しているファイルＦである場合を想定して説明する。さらに、前記ファイルＦを図３（Ａ）に示す文書情報ＦＨのファイルＦ１と、図３（Ｂ）に示す本文ＦＳのファイルＦ２とに分離して取り扱う場合を想定して説明する。
【００７１】
端末１のユーザがキーボード類を操作することにより、メーラー３にメール受信要求Ｒ１のコマンドを入力すると、前記メーラー３は、そのメール受信要求Ｒ２のコマンドを、ファイル仕分け手段６に出力する。前記ファイル仕分け手段６は、受け取ったメール受信要求Ｒ２をＬＡＮドライバ８並びにＬＡＮ１１を介してＰＯＰ３サーバ４に出力する。
【００７２】
前記ＰＯＰ３サーバ４は、前記メーラー３からのメール受信要求Ｒ２を受信した場合、次の処理を行う。すなわち、ネットワーク１３を通してメールデータが図示しないメールサーバに送信されていない場合、前記ＰＯＰ３サーバ４は、メールデータが皆無であることを前記メーラー３に送信する。ネットワーク１３から図示しないメールサーバへメールデータが送信されている場合（図９のメールデータ送信Ｔａ１）、そのメールデータを受信して、そのメールデータを、ＬＡＮ１１及びＬＡＮドライバ８並びにファイル仕分け手段６を介して前記メーラー３に送信する（図９のメールデータ送信Ｔａ２）。
【００７３】
前記メーラー３が前記ＰＯＰ３サーバ４からの受信メールを受信すると、前記メーラー３の分離部３ａは、図２に示すファイルＦを、図３（Ａ）に示す文書情報ＦＨのファイルＦ１と、図３（Ｂ）に示す本文ＦＳのファイルＦ２とに分離して管理し、これらのファイルＦ１，Ｆ２を出力部３ｂに出力する。前記出力部３ｂは図４（Ａ）に示す様に、図３（Ａ）に示す前記文書情報ＦＨのファイルＦ１に含まれる機密情報（Ｍ１〜Ｍ５及びアンダーラインを付した情報）に対して読解不可能な処理を施して前記処理済みの文書情報ＦＨのファイルＦ１と、前記分離部３ａから受け取った本文ＦＳのファイルＦ２とをファイル仕分け手段６に受け渡す（図９のメールデータ保存Ｓ１）。
【００７４】
前記ファイル仕分け手段６は、前記出力部３ｂから受け取った前記処理済みの文書情報ＦＨのファイルＦ１と前記本文ＦＳのファイルＦ２とをメインデータとして外部ストレージ２に振り分けると共に、前記処理済みの文書情報ＦＨのファイルＦ１をローカルデータとして端末１に振り分ける。そして、前記ファイル仕分け手段６は、振り分けたローカルデータとしての前記処理済み文書情報ＦＨのファイルＦ１を記憶手段７に記憶させ（図９のメールデータ保存Ｓ２）、前記記憶手段７への記憶動作と非同期状態でメインデータとしての前記ファイルＦ１，Ｆ２をＬＡＮドライバ８及びＬＡＮ１１を介して外部ストレージであるデータサーバ２に出力する（図９のメールデータ保存Ｓ２，Ｓ３）。
【００７５】
具体的に説明すると、前記ファイル仕分け手段６は、前記ローカルデータの前記記憶手段７への記憶処理が終了した際に、データサーバ２へファイルＦ１，Ｆ２を記憶させる処理とは非同期で前記メーラー３へメールデータの保存終了のコマンドを出力する（図９のメールデータ保存終了Ｓ４，Ｓ５）。
【００７６】
さらに、前記ファイル仕分け手段６は、前記ローカルデータの前記記憶手段７への記憶処理とは非同期、例えばメールデータ保存終了のコマンドを出力した後（図９のメールデータ保存終了Ｓ４，Ｓ５）、ファイルＦ１，Ｆ２を、ＬＡＮドライバ８及びＬＡＮ１１を介してデータサーバ２に出力する。
【００７７】
前記データサーバ２は、前記ファイル仕分け手段６から前記ファイルＦ１，Ｆ２を受信すると、これらのファイルＦ１，Ｆ２記憶する（図９のメールデータ保存Ｓ３）。
【００７８】
前記メーラー３は、前記ファイル仕分け手段６からのメールデータ保存終了のコマンドを受け取ると、前記端末１の表示部（図示略）に受信メールデータを受信した通知を表示する（図９のメールデータ受信通知Ｓ６）。
【００７９】
次に、ユーザが前記メーラー３を使って、新たに受信したメールデータを閲覧する場合について説明する。
【００８０】
ユーザが端末１のキーボード類を使って受信メールデータを閲覧するメールデータ閲覧要求Ｄ１のコマンドを前記メーラー３に入力すると、前記メーラー３は、前記メールデータ閲覧要求Ｄ１に基づいて、前記ファイル仕分け手段６にメールデータ要求Ｄ２を送信する。
【００８１】
前記ファイル仕分け手段６は、前記メールデータ要求Ｄ２を受け取ると、前記データサーバ２にアクセスすることなく、前記記憶手段７に直接アクセスして（図９のメールデータ閲覧要求Ｄ３）、前記記憶手段７に記憶されたファイルＦ１を読み出し、その読み出したファイルＦ１を前記メーラー３の復元部３ｄに出力する（図９のメールデータ出力Ｄ４，Ｄ５）。
【００８２】
前記メーラー３の復元部３ｄは、前記ファイル仕分け手段６からのファイルＦ１を受け取ると、そのファイルＦ１に施された読解不可能な処理を解除して、そのファイルＦ１を読解可能なファイルに復元し、その復元したファイルＦ１を端末１の表示部（図示略）に表示する（図９のメールデータ表示Ｄ６）。
【００８３】
ユーザが最近受信したメールデータではなく、過去のメールデータを閲覧する場合について説明する。
【００８４】
ユーザが過去の受信メールデータを閲覧するメールデータ閲覧要求を前記メーラー３に入力すると、前記メーラー３は、前記メール閲覧要求を前記ファイル仕分け手段６に出力する。前記ファイル仕分け手段６は、前記メーラー３からのメールデータ閲覧要求をＬＡＮドライバ８及びＬＡＮ１１を介して前記データサーバ２に出力する。前記データサーバ２は、前記ファイル仕分け手段６から受け取った前記メール閲覧要求に対応するファイルＦ１を読み出して、そのファイルＦ１を前記ファイル仕分け手段６に出力する。
【００８５】
前記ファイル仕分け手段６は、前記データサーバ２から前記ファイルＦ１を受け取ると、前記記憶手段７に記憶されているファイルＦ１を前記データサーバ２から読み出した前記ファイルＦ１に更新させて前記記憶手段７に記憶させるとともに、そのファイルＦ１を前記メーラー３の復元部３ｄに出力する。
【００８６】
前記メーラー３の復元部３ｄは、前記ファイル仕分け手段６からのファイルＦ１を受け取り、端末１のユーザが入力する復元情報に基づいてファイルＦ１を読解可能なファイルに復元し、そのファイルＦ１のデータを端末１の表示部（図示略）に表示する。
【００８７】
以上のような処理過程を経て、新たに受信したメールデータばかりではなく、このメールデータに代えて、過去に受信したメールデータも閲覧することができることとなる。
【００８８】
次に、前記メーラー３を使ってメールデータを送信する場合の処理について説明する。この処理は、ユーザが端末を持ち出した先或いはユーザが例えば職場内で前記端末１の記憶手段７に記憶されているファイルＦ１の文書情報ＦＨに基づいて返送用のメールデータを作成する場合を想定している。したがって、前記返信用のメールデータは、前記記憶手段７に記憶されているメールデータに対する返信用であるから、機密保持が必要なメールデータである。
【００８９】
ユーザが端末１のキーボード類を操作してメールデータの作成コマンドを前記メーラー３に入力する。前記メーラー３の作成部３ｃは、入力コマンドに基づいてメールデータを作成し、その作成した送信メールデータ（ファイルＦ）を前記ファイル仕分け手段６に出力する。前記ファイル仕分け手段６は、そのファイルＦを記憶手段７に記憶させる。
【００９０】
前記ファイルＦが前記記憶手段７に記憶された状態で、ユーザがキーボード類を操作してメールデータ送信要求Ｔ１のコマンドを入力すると、前記メーラー３は、そのメールデータ送信要求Ｔ１に基づいて、前記ファイル仕分け手段６にメールデータ取り出し要求Ｔ２を送信する。
【００９１】
前記ファイル仕分け手段６は、前記メールデータ取り出し命令に基づいて、前記記憶手段７にアクセスして（図９のメールデータ閲覧要求Ｔ３）、前記記憶手段７に記憶されているファイルＦを読出し、そのファイルＦを前記メーラー３に出力する（メールデータ出力Ｔ４，Ｔ５）。
【００９２】
前記メーラー３は、前記ファイル仕分け手段６からファイルＦを受け取ると、そのファイルＦを前記分離部３ａに受け渡す。前記分離部３ａは、前記ファイルＦを、ヘッダの文書情報ＦＨのファイルＦ１と、本文ＦＳのファイルＦ２とに分離し、これらのファイルＦ１，Ｆ２を前記出力部３ｂに出力する。前記出力部３ｂは、前記文書情報ＦＨのファイルＦ１に図４（Ａ）に示す様な読解不可能な処理を施し、その処理済みのファイルＦ１と、前記ファイルＦとを前記ファイル仕分け手段６に出力する。
【００９３】
前記ファイル仕分け手段６は、前記処理済みのファイルＦ１をローカルデータとして端末１に振り分け、前記ファイルＦをメインデータとして外部ストレージ２に振り分ける。そして、前記ファイル仕分け手段６は、前記ファイルＦを保持したまま、前記処理済みのファイルＦ１を記憶手段７に出力する。前記記憶手段７は、前記ファイル仕分け手段６から前記ファイルＦ１を受け取った際に、既に記憶しているファイルＦ１を前記新たなファイルＦ１に更新し、その更新した新たなファイルＦ１を記憶する。
【００９４】
前記ファイル仕分け手段６は、前記処理済みのファイルＦ１が記憶手段７に記憶された状態で、前記メーラー３からメールデータ送信要求Ｔ６とを受け取ると、保持している前記ファイルＦをＳＭＴＰサーバ５に送信する。前記ＳＭＴＰサーバ５は、前記ファイル仕分け手段６から前記ファイルＦを受け取ると、前記ファイルＦをネットワーク１３に送信する（図９のメールデータ送信Ｔ７）。
【００９５】
前記ＳＭＴＰサーバ５は、前記ファイルＦを送信した後、メールデータ送信終了Ｔ８のコマンドを前記メーラー３に出力する。前記メーラー３は、前記ＳＭＴＰサーバ５からメールデータ送信終了Ｔ８のコマンドを受け取ると、前記端末１の表示部（図示略）にメールデータ送信結果を表示する（メールデータ送信結果表示Ｔ９）。
【００９６】
前記ファイル仕分け手段６は、前記ファイルＦをＳＭＴＰサーバ５に送信した際、前記ファイルＦを前記データサーバ２に送信する。
【００９７】
前記データサーバ２は、前記ファイル仕分け手段６から前記ファイルＦを受信すると、前記ファイルＦを記憶する。
【００９８】
以上の説明では、端末１と外部ストレージ２とが活線状態であるため、データファイルを読み出す際、前記外部ストレージ２へのアクセスが可能な場合であるため、ファイル仕分け手段６は、前記外部ストレージ２から優先的にファイルを読み出す場合を説明したが、これに限られるものではない。すなわち、データファイルを読み出す際、前記外部ストレージ２へのアクセスが不可能な場合、ファイル仕分け手段６は、データファイルを読み出すアクセス先を前記外部ストレージ２から前記端末１に振り分ける。
【００９９】
以上説明したように、本発明の実施形態によれば、１ファイルを少なくとも文書情報と本文とのファイルに分離してこれらのファイルを１件のファイルとして管理し、前記文書情報のファイルに含まれる機密情報に対して読解不可能な処理を施して前記処理済みの文書情報のファイルを出力するとともに、前記端末のユーザが入力する復元情報に基づいて前記処理済みの文書情報のファイルを読解可能なファイルに復元するデータ管理手段と、前記データ管理手段で管理される前記１件のファイル及び、前記処理済みの文書情報のファイルをメインデータとして前記外部ストレージに振り分けるとともに、前記データ管理手段から出力される前記文書情報のファイル或いは、前記外部ストレージから読み出された前記文書情報のファイルをローカルデータとして前記端末に振り分けるファイル仕分け手段と、前記ファイル仕分け手段で振り分けられた前記文書情報のファイルを少なくとも記憶する記憶手段とを有することにより、１ファイルから文書情報のファイルを分離し、その分離した文書情報のファイルに対して読解不可能な処理を施し、その処理済みのファイルを端末に記憶させるので、ユーザ以外の第三者が端末に記憶された文書情報を解読することができず、機密漏洩を防止することができる。
【０１００】
また、本発明の実施形態では、ユーザが端末で新たなファイルを作成した場合でも、データ管理手段が、記憶手段に記憶されている文書情報に基づいて前記端末のユーザが作成したデータファイルに読解不可能な処理を施して前記データファイルを出力し、ファイル仕分け手段が、前記データファイルをメインデータとして前記外部ストレージに振り分けると共に、前記データファイルをローカルデータとして前記端末に振り分け、記憶手段が、前記ローカルデータとしての前記データファイルを記憶するため、ユーザが端末で新たに作成したファイルが機密漏洩するのを防止できる。
【０１０１】
また、本発明の実施形態では、データ管理手段が、前記文書情報に前記本文の一部を取り込んでこれを前記文書情報のファイルとして管理し、前記文書情報の機密情報及び前記取り込んだ本文に対して読解不可能な処理を施して、前記処理済みの文書情報のファイルを出力することにより、端末のユーザにとって前記文書情報と前記一部の本文とを閲覧でき、ユーザが持ち出したファイルからより充実した情報を得ることができる。
【０１０２】
また、本発明の実施形態では、データ管理手段が、前記文書情報のファイルに含まれる機密情報及び前記本文のファイルに対して読解不可能な処理を施して、前記処理済みの文書情報のファイル及び前記本文のファイルを出力し、ファイル仕分け手段が、前記データ管理手段から出力される前記文書情報のファイル及び前記本文のファイルをメインデータとして前記外部ストレージに振り分けると共に、前記文書情報のファイル及び前記本文のファイルをローカルデータとして前記端末に振り分け、前記記憶手段が、前記ファイル仕分け手段で振り分けられたローカルデータとしての前記文書情報のファイル及び前記本文のファイル、或いは前記外部ストレージから読み出された前記文書情報のファイル及び前記本文のファイルを記憶することにより、本文のデータを機密漏洩させることなく、端末に記憶させて持ち出すことができる。
【０１０３】
また、本発明の実施形態では、データ管理手段が、１ファイルに添付ファイルが添付されている場合、文書情報のファイルと本文のファイルと前記添付ファイルとに分離して、これらのファイルを１件のファイルとして管理し、前記文書情報のファイルに含まれる機密情報に対して読解不可能な処理を施して、前記処理済みの文書情報のファイルを出力することにより、１ファイルに添付ファイルが添付されている場合であっても、機密漏洩を防止することができる。
【０１０４】
また、本発明の実施形態では、データ管理手段が、前記本文ファイル及び前記添付ファイルの少なくとも一方のファイルに含まれる一部の情報を前記文書情報に取り込んでこれを前記文書情報のファイルとして管理し、前記文書情報の機密情報及び前記取り込んだ一部の情報に対して読解不可能な処理を施して、前記処理済みの文書情報を出力することにより、添付ファイルを機密漏洩することなく、端末に記憶させて持ち出すことができる。
【０１０５】
また、本発明の実施形態では、データ管理手段が、１ファイルに添付ファイルが添付されている場合、前記文書情報のファイルに含まれる機密情報及び前記本文のファイル並びに前記添付ファイルに対して読解不可能な処理を施して、前記処理済みの文書情報のファイル及び前記本文のファイル並びに前記添付ファイルを出力し、ファイル仕分け手段が、前記データ管理手段から出力される前記文書情報のファイル及び前記本文のファイル及び前記添付ファイルをメインデータとして前記外部ストレージに振り分けるとともに、前記文書情報のファイル及び前記本文のファイル及び前記添付ファイルをローカルデータとして前記端末に振り分けることが可能であり、その場合、前記記憶手段として内蔵のハードディスクを用いることにより、前記ファイル仕分け手段で振り分けられたローカルデータとしての前記文書情報のファイル及び前記本文のファイル並びに前記添付ファイル、或いは前記外部ストレージから読み出された前記文書情報のファイル及び前記本文のファイル並びに前記添付ファイルを記憶することができ、しかも、前記ハードディスクに記憶されているファイルは、端末のユーザ以外閲覧できないため、ファイルを機密漏洩することなく、持ち出すことができる。
【０１０６】
さらに、本発明の実施形態によれば、メールデータのデータサーバへの保存とは非同期に端末の記憶手段に記憶させるため、端末と外部ストレージであるサーバとの間に介装されるＩ／Ｏ性能の影響を受けることを回避できる。
【０１０７】
さらに、本発明の実施形態によれば、端末の記憶手段にファイルを記憶させておき、ユーザからの閲覧要求に対して外部ストレージであるデータサーバから読み出すのではなく、端末の記憶手段から読み出して閲覧に供するため、閲覧対象のファイルを出力する速度を速くすることができ、ユーザにストレスを与えることを回避できる。
【０１０８】
さらに、本発明の実施形態によれば、端末の記憶手段にファイルを記憶させておき、ユーザからの送信要求に対して外部ストレージから読み出すのではなく、端末の記憶手段から読み出して送信するため、送信対象のファイルを出力する速度を速くすることができ、ユーザにストレスを与えることを回避できる。
【０１０９】
以上の実施形態では、メーラーが取り扱うファイルにはヘッダの文書情報、本文が存在することに着目して、少なくとも文書情報のファイルを分離して、このファイルに読解不可能な処理を施すことにより、機密漏洩を防止するデータ管理手段（ユニット）として構築したが、データ管理手段（ユニット）として構築する対象はメーラーに限られるものではない。例えば、ワードプロセッサなどのアプリケーションで作成するファイルにも、文書情報と本文とが存在するものであり、これらのアプリケーションに本発明の実施形態におけるデータ管理手段（ユニット）の特有の機能を付加することにより、これらのアプリケーションを本発明の実施形態におけるデータ管理手段（ユニット）として構築することができるものである。
【０１１０】
図８は、図１に示す本発明の実施形態に係るセキュリティシステムの変更例を示すものである。図８に示す本発明の実施形態では、ＬＡＮドライバ８とＬＡＮ１１との間にフィルタドライバ１２を配置している。前記フィルタドライバ１２は、前記メーラー３が使用する通信プロトコルを記憶しており、その記憶情報に基づいて、前記メーラー３の通信プロトコル以外の通信プロトコルを使って通信を行うめーらー（データ管理手段）を機密保持の対象であるメーラー（データ管理手段）と判別し、その機密保持扱いのメーラー（データ管理手段）による通信データを全て外部ストレージであるデータサーバ２に記憶させて管理している。
【０１１１】
このように、前記フィルタドラーバ１２によりメーラー（データ管理手段）３を機密扱いにすることにより、前記メーラー３以外のメーラーによる通信データが外部漏洩することを回避することができる。
【産業上の利用可能性】
【０１１２】
本発明は、端末の持ち出しによりファイルを持ち出す際でも、データの外部漏洩を最小限に阻止することに貢献できるものである。
【符号の説明】
【０１１３】
１  端末
２  データサーバ（外部ストレージ）
３  メーラー（データ管理手段）
３ａ  分離部
３ｂ  出力部
３ｃ  復元部
６  ファイル仕分け手段
７  記憶手段（ハードディスクを含む）
【図１】
2011034209.tif 000003
【図２】
2011034209.tif 000004
【図３】
2011034209.tif 000005
【図４】
2011034209.tif 000006
【図５】
2011034209.tif 000007
【図６】
2011034209.tif 000008
【図７】
2011034209.tif 000009
【図８】
2011034209.tif 000010
【図９】
2011034209.tif 000011
【図１０】
2011034209.tif 000012